(57)【要約】【課題】ニスズレがなく、長寿命を実現できる刷版を提供すること。【解決手段】光学的エッチングにより製造された刷版シート４の両端部を折り曲げてその内部に長板状の中板１２を抱き込むとともに、折り曲げ部の上面と下面に長板状の上板１１と下板１３を押し当て、この上板１１と中板１２と下板１３をリベット１５などの固着手段により結合して版胴ロール２０への係止部１０とした。したがってその構造は強固であり、刷版を強い力できつく版胴ロールに巻き付けてしっかり装着することができる。【選択図】図５
2005212188.tif 000002
【特許請求の範囲】
【請求項１】
光学的エッチングにより製造された刷版シートの両端部を折り曲げてその内部に長板状の中板を抱き込むとともに、折り曲げ部の上面と下面に長板状の上板と下板を押し当て、この上板と中板と下板を固着手段により結合して版胴ロールへの係止部としたことを特徴とする刷版。
【請求項２】
上板、中板、下板と刷版シートの折り曲げ部の当接面にボンドを塗布したことを特徴とする請求項１記載の刷版。
【発明の詳細な説明】
【技術分野】
【０００１】
本発明は、凸版印刷などの印刷装置に用いられる刷版に関するものである。
【背景技術】
【０００２】
図６は、従来の刷版の版形成前の斜視図、図７は同刷版の版形成後の斜視図である。図６において、刷版１００の主体となる刷版シート１０１は、上下２枚の樹脂製の上シート１０２と下シート１０３を貼り合わせて成っており、その両側部には断面コ字形の長尺棒状の係止部１０４がカシメ手段などにより固着されている。係止部１０４は、刷版１００を印刷装置の版胴ロールの表面（周面）に巻回装着して固定するためのものである。
【０００３】
上シート１０２は、鋭利なナイフなどにより部分的に切除され、所望の図形や文字などの版（印刷パターン）が形成される。図７は、版１０５が形成された刷版を示している。本例では、版１０５は円形である。本例の刷版１００はニス塗りのための刷版であって、用紙などの被印刷物の版１０５に対応する箇所にはニスは塗布されず、後工程などにおいてこの不塗布箇所にバーコードや賞味期限などの所望の文字等が印刷される。
【０００４】
図８は、版１０５が形成された部分の部分拡大断面図であって、ナイフなどで上シート１０２を切り込んで版１０５を切り抜き形成したことにより、下シート１０３の表面にはナイフの刃先の切り痕１０６が生じている。Ｌ１は版１０５の幅である。なお、図６に示す刷版は市販品であり、印刷工場はこの市販品を購入し、これを印刷工場内で加工して、図７に示す刷版を得る。
【発明の開示】
【発明が解決しようとする課題】
【０００５】
以上のようにして形成された刷版は、印刷装置の版胴ロールに巻回して装着される（特許文献１）。図９は、刷版を版胴ロールに装着した状態での部分拡大断面図であって、Ａ’はＡ部分の拡大図である。刷版１００は、版胴ロール１１０に強く巻回して装着されるため、強い引張力Ｆが加わる。このため、切り痕１０６は図示するように拡大し、版１０５の幅はＬ１からＬ２に広がる（Ｌ２＞Ｌ１）。広がり幅ΔＬ＝Ｌ２−Ｌ１はニスズレ（印刷ズレ）の原因となるが、この広がり幅ΔＬは印刷時間や印刷回数が増加するのにともない次第に大きくなり、ついには刷版１００は使用不可となる。
【特許文献１】特開２００２−２９２８２７号公報
【０００６】
以上のように従来の刷版１００はナイフにより版１０５を形成していたため、その切り痕１０６の拡大によってニスズレ（印刷ズレ）が生じやすく、またその結果、使用可能な寿命も短いという問題点があった。
【０００７】
そこで本発明は、上記従来の問題点を解消し、ニスズレがなく、長寿命を実現できる刷版を提供することを目的とする。
【課題を解決するための手段】
【０００８】
本発明の刷版は、光学的エッチングにより製造された刷版シートの両端部を折り曲げてその内部に長板状の中板を抱き込むとともに、折り曲げ部の上面と下面に長板状の上板と下板を押し当て、この上板と中板と下板を固着手段により結合して版胴ロールへの係止部としたものである。
【０００９】
好ましくは、上板、中板、下板と刷版シートの折り曲げ部の当接面にボンドを塗布したものである。
【発明の効果】
【００１０】
本発明の刷版の版は、光学的エッチングにより形成するので、ナイフで形成する従来の刷版のように切り痕は生じない。したがって刷版を強い力できつく版胴に巻回して装着しても版は拡大せず、ニスズレ（印刷ズレ）は生じない。また係止部は印刷工場内などで簡単に組立てられるので、印刷工場は図６に示す従来の刷版を購入する必要はなく、簡単に印刷工場内で刷版を製造できる。しかも、係止部は刷版シートの両端部を折り曲げてその内部に中板を抱き込むとともに、折り曲げ部の上面と下面に上板と下板を押し当て、この上板と中板と下板をリベットなどの固着手段により結合して組立てられるので、刷版シートの両側部の構造は強固なものとなり、したがって刷版を強い力できつく版胴ロールに巻き付けてしっかり装着することができる。
【発明を実施するための最良の形態】
【００１１】
図１は本発明の実施の形態における刷版の斜視図、図２は印刷装置の側面図、図３（ａ）、（ｂ）は版の形成工程図、図４は係止部の分解斜視図、図５（ａ）は組立前の係止部の断面図、図５（ｂ）は組立後の係止部の断面図である。
【００１２】
図１において、刷版１は上シート２と下シート３から成る刷版シート４の両側部に係止部１０を設けて成っている。上シート２には、後述する光学的エッチング法により、印刷パターンである版９が形成されている。
【００１３】
図２は、この刷版を用いる印刷装置を示している。２０は版胴ロールであり、その表面（周面）に刷版１が巻回して装着されている。２１は版胴ロール２０の軸部である。係止部１０は版胴ロール２０の内部に係止されている。版胴ロール２０の上部にはアニロックスロール３０が設けられている。３１はアニロックスロール３０の軸部である。アニロックスロール３０にはインキ供給器３２が当接して設けられており、チューブ３３を通してインキが供給され、アニロックスロール３０の表面（周面）に供給・塗布される。
【００１４】
版胴ロール２０の下部には給紙ロール４０が設けられており、被印刷物としての用紙４１が供給される。用紙４１は刷版１に当接する。版胴ロール２０とアニロックスロール３０をそれぞれ矢印Ａ、Ｂ方向へ回転させながら、用紙４１を矢印Ｃ方向へ搬送することにより、用紙４１に印刷がなされる。
【００１５】
次に、図３（ａ）、（ｂ）を参照して版を光学的エッチング法により形成する方法を説明する。図３において、２’は上シート２となる光硬化材であり、下シート３上に塗布するなどして形成されている。５は光硬化材２’上に重ねられたマスクであり、光遮断部５ａが形成されている。上方の光源６から光を照射すると、透光部５ｂに露呈する光硬化材２’は硬化し、光遮断部５ａの直下の光硬化材２’は未硬化のままとなる。そこでマスク５を取りはずし、溶剤で洗浄するなどして未硬化部を除去すれば、図３（ｂ）に示す版９が形成された刷版シート４が出来上る。
【００１６】
次に、上記のようにして製造された刷版シート４の両側部に係止部を設け、図１に示す刷版１を製造する方法を説明する。図４は係止部１０の分解斜視図であって、それぞれ長板状の金属製の上板１１、中板１２、下板１３から成っている。これらには、ピッチをおいて孔部１４が開孔されている。
【００１７】
図５（ａ）に示すように、刷版シート４の両端部を折り曲げ、中板１２を抱き込む。望ましくは、上板１１の下面、中板１２の上下両面、下板１３の上面（すなわち上板１１、中板１２、下板１３と刷版シート４の折り曲げ部の当接面）にはボンドｍを塗布し、折り曲げ部の上面と下面にそれぞれ上板１１と下板１３を押し当てる。
【００１８】
次いで、孔部１４を貫通する固着手段としてのリベット１５により、上板１１、中板１２、下板１３をしっかり結合し、これにより刷版シート４の両端部に上板１１、中板１２、下板１３を固着することにより係止部１０を形成する。図５（ａ）、（ｂ）は、左端部のみを示しているが、右端部も左端部と同様にして係止部１０が形成される。
【産業上の利用可能性】
【００１９】
本発明の刷版の版は、光学的エッチングにより形成するので、ナイフで形成する従来の刷版のように切り痕は生じない。したがって刷版を強い力できつく版胴に巻回して装着しても版は拡大せず、ニスズレ（印刷ズレ）は生じない。また係止部は印刷工場内などで簡単に組立てられるので、印刷工場は図６に示す従来の刷版を購入する必要はなく、簡単に印刷工場内で刷版を製造できる。しかも、係止部は刷版シートの両端部を折り曲げてその内部に中板を抱き込むとともに、折り曲げ部の上面と下面に上板と下板を押し当て、この上板と中板と下板をリベットなどの固着手段により固着して組立てられるので、その構造は強固であり、したがって刷版を強い力できつく版胴ロールに巻き付けてしっかり装着することができる。
【図面の簡単な説明】
【００２０】
【図１】本発明の実施の形態における刷版の斜視図
【図２】本発明の実施の形態における印刷装置の側面図
【図３】（ａ）本発明の実施の形態における版の形成工程図
【図３】（ｂ）本発明の実施の形態における版の形成工程図
【図４】本発明の実施の形態における係止部の分解斜視図
【図５】（ａ）本発明の実施の形態における組立前の係止部の断面図
【図５】（ｂ）本発明の実施の形態における組立後の係止部の断面図
【図６】従来の刷版の版形成前の斜視図
【図７】従来の刷版の版形成後の斜視図
【図８】版が形成された部分の部分拡大断面図
【図９】版胴ロールに装着した状態での部分拡大断面図
【符号の説明】
【００２１】
１  刷版
２  上シート
３  下シート
４  刷版シート
９  版
１０  係止部
１１  上板
１２  中板
１３  下板
１５  リベット（固着手段）
２０  版胴ロール
ｍ  ボンド
【図１】
2005212188.tif 000003
【図２】
2005212188.tif 000004
【図３】
2005212188.tif 000005
【図４】
2005212188.tif 000006
【図５】
2005212188.tif 000007
【図６】
2005212188.tif 000008
【図７】
2005212188.tif 000009
【図８】
2005212188.tif 000010
【図９】
2005212188.tif 000011